(57)【要約】【課題】  図柄の奥行き感および透明感がより高められた装飾品を提供すること。【解決手段】  透明樹脂からなり、オフセット印刷によって印刷された可視光を透過させる透光印刷面１１を有する第１層１と、透明樹脂からなり、第１層１の透光印刷面１１を覆うように透明接着剤によって接合された第２層２と、を備える。【選択図】  図１
2014113693.tif 000002
【特許請求の範囲】
【請求項１】
透明樹脂からなり、オフセット印刷によって印刷された可視光を透過させる透光印刷面を有する第１層と、
透明樹脂からなり、上記第１層の上記透光印刷面を覆うように透明接着剤によって接合された第２層と、
を備えることを特徴とする、透明樹脂装飾品。
【発明の詳細な説明】
【技術分野】
【０００１】
本発明は、たとえばアクリル系樹脂などの透明樹脂からなる透明樹脂装飾品に関する。
【背景技術】
【０００２】
ブローチやペンダントの装飾性を高める主要部品として、透明樹脂からなる透明樹脂装飾品が用いられている。特許文献１には、アクリル樹脂などからなる本体の表面に図柄などが付された透明樹脂装飾品が記載されている。この透明樹脂装飾品においては、本体の表面に昇華転写紙を接触させ、これらを加熱することにより、本体の表面に図柄を転写する手法が採用されている。
【０００３】
しかしながら、上述した透明樹脂装飾品においては、図柄は本体の表面にあるため、本体を透してこれらの図柄が視認されるものではない。このような透明樹脂装飾品は、透明樹脂からなる本体を具備するものの、奥行き感や透明感が十分に達成されているとはいえない。
【先行技術文献】
【特許文献】
【０００４】
【特許文献１】特開平７−１８６５５９号公報
【発明の概要】
【発明が解決しようとする課題】
【０００５】
本発明は、上記した事情のもとで考え出されたものであって、奥行き感や透明感をより高めることが可能な透明樹脂装飾品を提供することをその課題とする。
【課題を解決するための手段】
【０００６】
本発明によって提供される透明樹脂装飾品は、透明樹脂からなり、オフセット印刷によって印刷された可視光を透過させる透光印刷面を有する第１層と、透明樹脂からなり、上記第１層の上記透光印刷面を覆うように透明接着剤によって接合された第２層と、を備えることを特徴としている。
【発明の効果】
【０００７】
本願に係る発明によれば、上記透光印刷面が透明な上記第１層および上記第２層によって挟まれた態様となる。オフセット印刷によって形成された上記透光印刷面は、比較的透明感が高く、繊細な図柄を表現することが可能である。したがって、上記透明樹脂装飾品の奥行き感および透明感を高めることができる。
【０００８】
本発明のその他の特徴および利点は、添付図面を参照して以下に行う詳細な説明によって、より明らかとなろう。
【図面の簡単な説明】
【０００９】
【図１】本発明に係る透明樹脂装飾品の一例を示す斜視図である。
【図２】本発明に係る透明樹脂装飾品の一例を示す分解斜視図である。
【発明を実施するための形態】
【００１０】
以下、本発明の好ましい実施の形態につき、図面を参照して具体的に説明する。
【００１１】
図１および図２は、本発明に係る透明樹脂装飾品の一例を示している。本実施形態の透明樹脂装飾品Ａは、第１層１、第２層２、第３層３および第４層４を備えている。透明樹脂装飾品Ａは、たとえば、別体とされた枠体の装着もしくは穴あけ加工などが施された後にネックチェーンが取り付けられることにより、ペンダントなどとして用いられる。本実施形態においては、透明樹脂装飾品Ａは、たとえば平面視が一片の長さが２〜５ｃｍ程度の矩形状であり、厚さが５〜８ｍｍ程度である。図１は、透明樹脂装飾品Ａを正面斜め右方から臨んだ斜視図であり、図２は、透明樹脂装飾品Ａを背面斜め左方から臨んだ分解斜視図である。
【００１２】
第１層１は、たとえばアクリル樹脂などの透明な樹脂からなる。第１層１は、透光印刷面１１を有している。透光印刷面１１は、第１層１の片面に対して、オフセット印刷が施された面である。このオフセット印刷には、平台公正機を用いることが好ましい。オフセット印刷には、可視光を透過するインキが用いられる。このようなインクとしては、たとえば紫外線硬化性インキが好ましい。第１層１の厚さの一例を挙げると、たとえば０．５ｍｍ程度である。
【００１３】
第２層２は、たとえばアクリル樹脂などの透明な樹脂からなる。第２層２は、第１層１の透光印刷面１１に対して、透明接着剤によって接合されている。このような透明接着剤としては、たとえばアクリル系モノマーからなる可視光重合型一液性接着剤を用いることが好ましい。第２層２の厚さの一例を挙げると、たとえば２ｍｍ程度である。
【００１４】
第３層３は、たとえばアクリル樹脂などの透明な樹脂からなる。第３層３は、第１層１の透光印刷面１１とは反対側の面に対して、透明接着剤によって接合されている。このような透明接着剤としては、たとえばアクリル系モノマーからなる可視光重合型一液性接着剤を用いることが好ましい。本実施形態においては、第３層３は、不透光印刷面３１を有している。不透光印刷面３１は、第１層１に接合された面とは反対側の面であり、不透明なインキによってたとえばロゴが印刷されている。第３層３の厚さの一例を挙げると、たとえば２ｍｍ程度である。
【００１５】
第４層４は、たとえばアクリル樹脂などの透明な樹脂からなる。第４層４は、第３層３の不透光印刷面３１に対して、透明接着剤によって接合されている。このような透明接着剤としては、たとえばアクリル系モノマーからなる可視光重合型一液性接着剤を用いることが好ましい。第４層４の厚さの一例を挙げると、たとえば２ｍｍ程度である。
【００１６】
なお、図２においては、各々が矩形状とされた第１層１、第２層２、第３層３、および第４層４を接合する態様が記載されているが、たとえば、第１層１、第２層２、第３層３、および第４層４の各々を複数個作成可能な大型の複数の透明樹脂板を接合した後に、これを切断することによって透明樹脂装飾品Ａを製造してもよい。
【００１７】
次に、透明樹脂装飾品Ａの作用について説明する。
【００１８】
本実施形態によれば、透光印刷面１１が透明な第１層１および第２層２によって挟まれた態様となる。オフセット印刷によって形成された透光印刷面１１は、比較的透明感が高く、繊細な図柄を表現することが可能である。したがって、透明樹脂装飾品Ａの奥行き感および透明感を高めることができる。
【００１９】
オフセット印刷に平台公正機を用いることにより、透光印刷面１１の微妙な色合いや透明感を所望の状態に仕上げることができる。第１層１の厚さを第２層２などよりも薄い、たとえば０．５ｍｍ程度とすることにより、平台公正機による印刷を適切に行うことができる。第２層２、さらには第３層３および第４層４を第１層１よりも厚くすることにより、透明樹脂装飾品Ａの立体感を向上させることができる。これは、透明樹脂装飾品Ａの奥行き感を高めることに寄与する。
【００２０】
第１層１の材質としては、アクリル樹脂が透明感を向上させる点で好ましいが、アクリル樹脂に代えてＰＥＴ樹脂を用いてもよい。第１層１のみをＰＥＴ樹脂によって形成し、第２層２、第３層３、および第４層４をアクリル樹脂によって形成する構成とすることにより、第１層１と第２層２との接合強度を高めつつ、透明樹脂装飾品Ａの透明感を不当に低下させないという効果が期待できる。
【００２１】
本発明に係る透明樹脂装飾品は、上述した実施形態に限定されるものではない。本発明に係る透明樹脂装飾品の各部の具体的な構成は、種々に設計変更自在である。
【００２２】
第１層１および第２層２の材質は、上述した構成が好ましいが、これに限定されず、透明感を醸し出しうる様々な材質を採用できる。また、第３層３および第４層４の材質は、上述した構成が好ましいが、これに限定されず、透明感を醸し出しうる様々な材質を採用できる。さらに、第３層３および第４層４のいずれかもしくは双方を備えない構成であってもよい。あるいは、複数の第１層１が互いに積層された構成であってもよい。本発明に係る透明樹脂装飾品は、ブローチやペンダントをはじめとするアクセサリー用品、ルームキーなどのキーホルダー、または机上装飾用のオーナメントなど、あるいは建築構造物の装飾部品など、種々の用途に用いることができる。
【符号の説明】
【００２３】
Ａ  装飾品
１  第１層
１１  透光印刷面
２  第２層
３  第３層
３１  不透光印刷面
４  第４層
【図１】
2014113693.tif 000003
【図２】
2014113693.tif 000004